(57)【特許請求の範囲】
【請求項１】
伝送回線の周波数特性を補正する回線等化装置であって、
入力信号に対してＦＦＴ処理を行い、所定の周波数範囲で周波数特性を解析するＦＦＴ解析部と、
前記周波数特性から前記周波数範囲内の最大のピークとなる第１のピーク成分を検出する第１のピーク値検出部と、
前記第１のピーク成分を解析し、該第１のピーク成分の周波数、ゲイン量及び帯域幅を含む、第１のイコライザ特性を設定するための第１のパラメータを取得するとともに、該第１のパラメータに基づき前記第１のイコライザ特性の周波数特性を生成する第１の解析部と、
前記第１のパラメータに基づき前記第１のイコライザ特性を設定し、前記入力信号に対して前記第１のパラメータの逆特性を生成するイコライザ処理を行う第１のイコライザと、
前記ＦＦＴ解析部により得られる周波数特性と、前記第１のイコライザ特性の周波数特性との差分により周波数特性差分データを生成する周波数差分演算部と、
前記周波数特性差分データから前記周波数範囲内の最大のピークとなる第２のピーク成分を検出する第２のピーク値検出部と、
前記第２のピーク成分を解析し、該第２のピーク成分の周波数、ゲイン量及び帯域幅を含む、第２のイコライザ特性を設定するための第２のパラメータを取得する第２の解析部と、
前記第２のパラメータに基づき前記第２のイコライザ特性を設定し、前記第１のイコライザから出力される信号に対して前記第２のパラメータの逆特性を生成するイコライザ処理を行う第２のイコライザと
を備えることを特徴とする回線等化装置。
【請求項２】
前記周波数特性におけるピーク成分の有無を判断するピーク値判断部と、
前記ピーク値判断部による判断の結果、前記周波数特性にピーク成分が存在しないと判断した場合に、前記周波数特性に基づき擬似的なピーク成分を有する擬似ピークデータを生成する擬似ピーク値生成部と
をさらに備え、
前記擬似ピーク値生成部は、
前記入力信号に含まれる周波数成分の最大周波数において、前記周波数特性を折り返すことにより前記擬似ピークデータを生成し、
前記第１のピーク値検出部は、
前記ピーク値判断部により前記周波数特性にピーク成分が存在すると判断された場合に、前記周波数特性から前記第１のピーク成分を検出し、
前記ピーク値判断部により前記周波数特性にピーク成分が存在しないと判断された場合に、前記擬似ピークデータから前記第１のピーク成分を検出することを特徴とする請求項１に記載の回線等化装置。
【請求項３】
前記擬似ピーク値生成部は、
前記折り返した周波数特性に内接する二次曲線を擬似ピークデータとすることを特徴とする請求項２に記載の回線等化装置。
【請求項４】
前記第２のピーク値検出部は、
前記ピーク成分に対する閾値を設定し、
ゲイン量が前記閾値を超える成分をピーク成分として検出することを特徴とする請求項１に記載の回線等化装置。
【請求項５】
前記閾値は、変更可能であることを特徴とする請求項４に記載の回線等化装置。
【請求項６】
前記周波数差分演算部、前記第２のピーク値検出部及び前記第２の解析部からなる解析ブロックと、
前記第２のイコライザと
を複数備え、
前記第２の解析部は、
さらに、前記第２のパラメータに基づき前記第２のイコライザ特性の周波数特性を生成し、
前記周波数差分演算部は、
前段の周波数差分演算部で生成された周波数特性差分データと、前記第２のイコライザ特性の周波数特性との差分により周波数特性差分データを生成することを特徴とする請求項１に記載の回線等化装置。
【請求項７】
前記ＦＦＴ解析部は、前記解析を繰り返し行い、解析結果を積算又は平均化することを特徴とする請求項１に記載の回線等化装置。
【請求項８】
前記ＦＦＴ解析部は、前記入力信号の周波数特性を補正する周波数補正データに基づきＦＦＴ処理を行うことを特徴とする請求項１に記載の回線等化装置。
【請求項９】
伝送回線の周波数特性を補正する回線等化方法であって、
入力信号に対してＦＦＴ処理を行い、所定の周波数範囲で周波数特性を解析し、
前記周波数特性から前記周波数範囲内の最大のピークとなる第１のピーク成分を検出し、
前記第１のピーク成分を解析し、該第１のピーク成分の周波数、ゲイン量及び帯域幅を含む、第１のイコライザ特性を設定するための第１のパラメータを取得するとともに、該第１のパラメータに基づき前記第１のイコライザ特性の周波数特性を生成し、
前記第１のパラメータに基づき前記第１のイコライザ特性を設定し、前記入力信号に対して前記第１のパラメータの逆特性を生成するイコライザ処理を行い、
前記解析により得られる周波数特性と、前記第１のイコライザ特性の周波数特性との差分により周波数特性差分データを生成し、
前記周波数特性差分データから前記周波数範囲内の最大のピークとなる第２のピーク成分を検出し、
前記第２のピーク成分を解析し、該第２のピーク成分の周波数、ゲイン量及び帯域幅を含む、第２のイコライザ特性を設定するための第２のパラメータを取得し、
前記第２のパラメータに基づき前記第２のイコライザ特性を設定し、前記第１のイコライザから出力される信号に対して前記第２のパラメータの逆特性を生成するイコライザ処理を行うことを特徴とする回線等化方法。
【発明の詳細な説明】
【技術分野】
【０００１】
本発明は、回線等化装置及び回線等化方法に関し、特に、音声及びその他の伝送回線の周波数特性を補正するのに適した回線等化装置及び回線等化方法に関する。
【背景技術】
【０００２】
従来の回線等化装置では、入力される信号の周波数帯域を複数に分割し、分割して得られる複数の周波数帯域に対して、各々の周波数帯域に対応する複数のイコライザを使用して周波数特性を検出し、これら複数のイコライザのゲインのみを調整して周波数特性を補正する方法が用いられている。このような方法では、マイコン等を利用して自動的にゲインを調整する方法を適用することができる。
【０００３】
また、周波数特性を検出する方法として、例えば下記の特許文献１に記載されているように、ＦＦＴ（Fast Fourier Transform：高速フーリエ変換）演算を使用する方法も用いられている。
【０００４】
特許文献１に記載の回線等化器１００は、図７に示すように、４線式の伝送回線の特性を補正するものであり、設定処理期間において、各回線１０１Ａ、１０１Ｂ間に抵抗減衰器１０２が接続される。下り回線１０１Ａには、Ａ／Ｄ変換器１１１Ａ、デジタルフィルタ１１２Ａ、切換スイッチ１１３Ａ及びＤ／Ａ変換器１１４Ａが接続される。また、上り回線１０１Ｂは、Ａ／Ｄ変換器１１４Ｂ、切換スイッチ１１３Ｂ、デジタルフィルタ１１２Ｂ及びＤ／Ａ変換器１１１Ｂが接続される。
【０００５】
下り回線１０１Ａの切換スイッチ１１３Ａの常開端子には発振器１１５が接続され、上り回線１０１Ｂの切換スイッチ１１３Ｂの常開端子には、レベルメータ１１６が接続される。そして、このレベルメータ１１６にフーリエ演算部１１７が接続される。さらに、回線等化器１００内には、発振器１１５の起動停止制御、各切換スイッチ１１３Ａ、１１３Ｂの切換状態制御、レベルメータ１１６からの信号レベルの読込み、フーリエ演算部１１７に対するデータ供給等の処理業務を行う制御部１１８が設けられる。
【０００６】
制御部１１８は、外部から周波数特性の設定処理開始の指令を受けると、切換スイッチ１１３Ａ及び１１３Ｂを常閉端子側から常開端子側へ切換えるとともに、発振器１１５及びレベルメータ１１６を起動させる。発振器１１５は、予め定められた所定の周波数範囲（下限周波数ｆL〜上限周波数ｆH）内で周波数ｆ及び信号レベルが変化できる試験信号を出力する。試験信号は、Ｄ／Ａ変換器１１４Ａ、抵抗減衰器１０２及びＡ／Ｄ変換器１１４Ｂを介してレベルメータ１１６に入力される。
【０００７】
レベルメータ１１６は、入力された試験信号の信号レベルの平均値を算出する。発振器１１５から出力された試験信号の周波数ｆは、任意に変更できるので、算出された信号レベルは、周波数ｆの関数として求めることができる。したがって、レベルメータ１１６からフーリエ演算部１１７へ伝送されるレベルデータは、周波数ｆの関数となるので、抵抗減衰器１０２までの伝送回線１０１の周波数特性を求めることができる。
【０００８】
フーリエ演算部１１７は、レベルメータ１１６から入力された周波数特性に対して１／２の逆フーリエ変換特性を演算する。
【０００９】
ここで、回線等化器１００では、測定すべきＭ個の周波数ポイントを所定の周波数範囲内で定め、Ｍ個の各周波数ｆL〜ｆHにおける信号レベルをレベルメータ１１６で求めてその逆特性を求める。そして、この逆特性の信号レベルに対して離散的逆フーリエ変換（ＩＤＦＴ：Inverse Discrete Fourier Transform）手法を用い、図８に示すような周波数特性を算出する。制御部１１８は、このようにして得られた逆フーリエ変換特性をデジタルフィルタ１１２Ａ及び１１２Ｂに設定する。
【００１０】
このように、デジタルフィルタ１１２Ａ及び１１２Ｂに対して周波数特性を設定することにより、伝送回線１０１の特性を補正することができる。
【先行技術文献】
【特許文献】
【００１１】
【特許文献１】特許第３１７３９２４号公報
【発明の概要】
【発明が解決しようとする課題】
【００１２】
しかし、特許文献１に記載の回線等化器では、所定の周波数範囲内に測定すべきＭ個の周波数ポイントを設定する必要があるため、Ｍ個の周波数ポイント分のデジタルフィルタが必要となってしまうという問題があった。また、このような方法は、周波数帯域を複数に分割し、複数の周波数帯域に対応する複数のイコライザを使用して周波数特性を補正する手段の一つに過ぎない。
【００１３】
さらに、特許文献１に記載の回線等化器では、ＩＤＦＴ手法を用いて演算を行う必要があるため、処理時間が長くなってしまうという問題があった。
【００１４】
そこで、本発明は、上記従来の技術における問題点に鑑みてなされたものであって、回路構成を簡略化し、処理時間を高速化することが可能な回線等化装置及び回線等化方法を提供することを目的とする。
【課題を解決するための手段】
【００１５】
上記目的を達成するため、本発明は、伝送回線の周波数特性を補正する回線等化装置であって、入力信号に対してＦＦＴ処理を行い、所定の周波数範囲で周波数特性を解析するＦＦＴ解析部と、前記周波数特性から前記周波数範囲内の最大のピークとなる第１のピーク成分を検出する第１のピーク値検出部と、前記第１のピーク成分を解析し、該第１のピーク成分の周波数、ゲイン量及び帯域幅を含む、第１のイコライザ特性を設定するための第１のパラメータを取得するとともに、該第１のパラメータに基づき前記第１のイコライザ特性の周波数特性を生成する第１の解析部と、前記第１のパラメータに基づき前記第１のイコライザ特性を設定し、前記入力信号に対して前記第１のパラメータの逆特性を生成するイコライザ処理を行う第１のイコライザと、前記ＦＦＴ解析部により得られる周波数特性と、前記第１のイコライザ特性の周波数特性との差分により周波数特性差分データを生成する周波数差分演算部と、前記周波数特性差分データから前記周波数範囲内の最大のピークとなる第２のピーク成分を検出する第２のピーク値検出部と、前記第２のピーク成分を解析し、該第２のピーク成分の周波数、ゲイン量及び帯域幅を含む、第２のイコライザ特性を設定するための第２のパラメータを取得する第２の解析部と、前記第２のパラメータに基づき前記第２のイコライザ特性を設定し、前記第１のイコライザから出力される信号に対して前記第２のパラメータの逆特性を生成するイコライザ処理を行う第２のイコライザとを備えることを特徴とする。
【００１６】
そして、本発明によれば、入力信号の周波数特性からピーク成分を検出し、このピーク成分を除去するようなイコライザ特性を用いてピーク成分を除去するとともに、入力信号の周波数特性とイコライザ特性との差分を算出して得られる周波数特性から次のピーク成分を検出し、ピーク成分を除去するため、入力信号の周波数範囲を分割することなく、全ての周波数範囲について等化処理を行うことができ、回路構成を簡略化させることが可能となる。
【００１７】
また、ＩＤＦＴ等の演算を行わないため、等化処理に要する時間を高速化することが可能となる。
【００１８】
上記回線等化装置において、前記周波数特性におけるピーク成分の有無を判断するピーク値判断部と、前記ピーク値判断部による判断の結果、前記周波数特性にピーク成分が存在しないと判断した場合に、前記周波数特性に基づき擬似的なピーク成分を有する擬似ピークデータを生成する擬似ピーク値生成部とをさらに備え、前記擬似ピーク値生成部は、前記入力信号に含まれる周波数成分の最大周波数において、前記周波数特性を折り返すことにより前記擬似ピークデータを生成し、前記第１のピーク値検出部は、前記ピーク値判断部により前記周波数特性にピーク成分が存在すると判断された場合に、前記周波数特性から前記第１のピーク成分を検出し、前記ピーク値判断部により前記周波数特性にピーク成分が存在しないと判断された場合に、前記擬似ピークデータから前記第１のピーク成分を検出することができる。
【００１９】
そして、本発明によれば、入力信号の周波数特性にピーク成分が存在しない場合に、擬似的にピーク成分を生成し、生成されたピーク成分を除去するため、ピーク成分が存在しない入力信号に対しても、等化処理を行うことが可能となる。
【００２０】
上記回線等化装置において、前記擬似ピーク値生成部は、前記折り返した周波数特性に内接する二次曲線を擬似ピークデータとすることができる。
【００２１】
そして、本発明によれば、イコライザにおけるイコライザ特性が極付近で鋭利な特性とならないため、イコライザ特性に与える影響を軽減し、特性誤差を小さくすることが可能となる。
【００２２】
上記回線等化装置において、前記第２のピーク値検出部は、前記ピーク成分に対する閾値を設定し、ゲイン量が前記閾値を超える成分をピーク成分として検出することを特徴とすることができる。
【００２３】
上記回線等化装置において、前記閾値は、変更可能とすることができる。
【００２４】
そして、本発明によれば、閾値を変更可能とすることにより、回線等化装置における等化特性の精度や信号の遅延、位相特性等を考慮して、ピーク成分を検出することが可能となる。
【００２５】
上記回線等化装置において、前記周波数差分演算部、前記第２のピーク値検出部及び前記第２の解析部からなる解析ブロックと、前記第２のイコライザとを複数備え、前記第２の解析部は、さらに、前記第２のパラメータに基づき前記第２のイコライザ特性の周波数特性を生成し、前記周波数差分演算部は、前段の周波数差分演算部で生成された周波数特性差分データと、前記第２のイコライザ特性の周波数特性との差分により周波数特性差分データを生成することができる。
【００２６】
そして、本発明によれば、周波数特性差分データとイコライザ特性の周波数特性との差分を繰り返し算出することにより、入力信号に含まれる複数のピーク成分を順次除去することが可能となる。
【００２７】
上記回線等化装置において、前記ＦＦＴ解析部は、前記解析を繰り返し行い、解析結果を積算又は平均化することができる。
【００２８】
そして、本発明によれば、ＦＦＴ解析部による解析結果を積算又は平均化するため、入力信号に含まれる白色雑音等の雑音の影響を抑え、解析精度を向上させることが可能となる。
【００３０】
上記回線等化装置において、前記ＦＦＴ解析部は、前記入力信号の周波数特性を補正する周波数補正データに基づきＦＦＴ処理を行うことができる。
【００３１】
そして、本発明によれば、周波数補正データに基づきＦＦＴ処理を行うため、以降の処理において、入力信号に対して予め設定された特性を考慮する必要がなくなり、設定された特性によるピーク成分の誤検出を防ぐことが可能となる。
【００３２】
また、本発明は、伝送回線の周波数特性を補正する回線等化方法であって、入力信号に対してＦＦＴ処理を行い、所定の周波数範囲で周波数特性を解析し、前記周波数特性から前記周波数範囲内の最大のピークとなる第１のピーク成分を検出し、前記第１のピーク成分を解析し、該第１のピーク成分の周波数、ゲイン量及び帯域幅を含む、第１のイコライザ特性を設定するための第１のパラメータを取得するとともに、該第１のパラメータに基づき前記第１のイコライザ特性の周波数特性を生成し、前記第１のパラメータに基づき前記第１のイコライザ特性を設定し、前記入力信号に対して前記第１のパラメータの逆特性を生成するイコライザ処理を行い、前記解析により得られる周波数特性と、前記第１のイコライザ特性の周波数特性との差分により周波数特性差分データを生成し、前記周波数特性差分データから前記周波数範囲内の最大のピークとなる第２のピーク成分を検出し、前記第２のピーク成分を解析し、該第２のピーク成分の周波数、ゲイン量及び帯域幅を含む、第２のイコライザ特性を設定するための第２のパラメータを取得し、前記第２のパラメータに基づき前記第２のイコライザ特性を設定し、前記第１のイコライザから出力される信号に対して前記第２のパラメータの逆特性を生成するイコライザ処理を行うことを特徴とする。
【００３３】
そして、本発明によれば、前記発明と同様に、回路構成を簡略化させることが可能となるとともに、等化処理に要する時間を高速化することが可能となる。
【発明の効果】
【００３４】
以上のように、本発明によれば、回路構成を簡略化し、処理時間を高速化することが可能になる。
【図面の簡単な説明】
【００３５】
【図１】本発明に係る回線等化装置の一実施の形態を示すブロック図である。
【図２】３段のイコライザを用いた場合の回線等化装置の構成の一例を示すブロック図である。
【図３】生成データを生成する方法について説明するための略線図である。
【図４】回線等化装置の動作について説明するための略線図である。
【図５】帯域幅の算出方法について説明するための略線図である。
【図６】本発明に係る回線等化装置の他の実施形態を示すブロック図である。
【図７】従来の回線等化器の構成の一例を示すブロック図である。
【図８】ＩＤＦＴ手法を用いて算出した周波数特性結果を示す略線図である。
【発明を実施するための形態】
【００３６】
次に、発明を実施するための形態について、図面を参照しながら詳細に説明する。
【００３７】
図１は、本発明にかかる回線等化装置の一実施の形態を示し、この回線等化装置１は、イコライザ解析ブロック１０1、１０2、・・・、１０n-1、ＦＦＴ（Fast Fourier Transform）解析部１１、ピーク値判断部１２、擬似ピーク値生成部１３、ピーク値検出部１４、イコライザ解析部１５、イコライザ１６1、１６2、・・・、１６nを備える。
【００３８】
ＦＦＴ解析部１１は、外部から音声信号等の入力信号ａと、使用する回線で伝送可能な周波数範囲を示す回線特性範囲データｐとが入力され、回線特性範囲データｐに基づき入力信号ａに対してＦＦＴ処理を施し、入力信号ａの周波数特性を解析する。そして、ＦＦＴ解析部１１は、解析により得られた周波数特性データｂを出力する。
【００３９】
ピーク値判断部１２は、ＦＦＴ解析部１１から出力された周波数特性データｂに基づき、入力信号ａの周波数範囲内のピーク成分の有無を判断し、判断の結果に応じたピーク成分の有無を示すピーク値判断結果データｄを出力する。また、ピーク値判断部１２は、ピーク成分が無いと判断した場合に、擬似ピーク信号生成部１３における処理を開始するための擬似ピーク値生成開始情報ｃを出力する。
【００４０】
擬似ピーク値生成部１３は、ピーク値判断部１２から擬似ピーク値生成開始情報ｃを受け取った場合に、回線特性範囲データｐが示す周波数範囲内の最大周波数を擬似的なピークとする擬似ピーク値生成データ（以下、「生成データ」とする）ｅを生成して出力する。尚、生成データｅの詳細については、後述する。
【００４１】
ピーク値検出部１４は、ピーク値判断部１２から出力されたピーク値判断結果データｄに基づき、ＦＦＴ解析部１１からの周波数特性データｂ及び擬似ピーク値生成部１３からの生成データｅの何れか一方のデータからピーク成分を検出する。そして、ピーク値検出部１４は、検出したピーク成分の周波数を示すデータと、周波数特性データｂ及び生成データｅのうち検出に使用した何れかのデータとからなるデータｆを出力する。
【００４２】
また、ピーク値検出部１４は、ピーク値判断結果データｄが「ピーク成分なし」を示す場合に、後述するピーク値検出部１８1によるピーク成分の検出処理を行わないように制御するための制御信号ｑ1を出力する。
【００４３】
イコライザ解析部１５は、ピーク値検出部１４から出力されたデータｆに基づきピーク成分のゲイン量及び帯域幅（選択度）を算出し、算出結果をパラメータとしたイコライザ解析データｇ1を出力する。また、イコライザ解析部１５は、算出結果に基づき、イコライザ１６1におけるイコライザ特性の周波数特性データである解析データｈ1を出力する。
【００４４】
イコライザ１６1は、イコライザ解析部１５からのイコライザ解析データｇ1に基づきイコライザ特性を設定し、入力信号ａに対してフィルタ演算等のイコライザ処理を施した信号ｋを出力する。
【００４５】
イコライザ解析ブロック１０1、１０2、・・・、１０n-1は、周波数差分演算部１７1、１７2、・・・、１７n-1、ピーク値検出部１８1、１８2、・・・、１８n-1及びイコライザ解析部１９1、１９2、・・・、１９n-1で構成される。
【００４６】
周波数差分演算部１７1は、イコライザ解析部１５からの解析データｈ1と周波数特性データｂとの差分を演算し、周波数特性差分データｉ1を出力する。
【００４７】
ピーク値検出部１８1は、周波数差分演算部１７1からの周波数特性差分データｉ1内のピーク成分のゲイン量と、ゲイン量に対して予め設定された閾値とを比較することにより、ピーク成分の検出処理を行う。ピーク値検出部１８1は、周波数特性差分データｉ1内のピーク値が閾値よりも大きい場合に、ピーク成分を検出し、検出したピーク成分の周波数を示すデータ及び周波数特性差分データｉ1からなるデータｊ1を出力する。また、ピーク値検出部１８1は、周波数特性差分データｉ1内のピーク値が閾値よりも小さい場合に、ピーク成分を検出せず、データｊ1の代わりにピーク成分が存在しないことを示すデータを出力する。
【００４８】
また、ピーク値検出部１８1は、ピーク成分を検出しない場合に、後述するピーク値検出部１８2によるピーク成分の検出処理を行わないように制御するための制御信号ｑ2を出力する。
【００４９】
イコライザ解析部１９1は、ピーク値検出部１８1から出力されたデータｊ1に基づきピーク成分のゲイン量及び帯域幅（選択度）を算出し、算出結果をパラメータとしたイコライザ解析データｇ2を出力する。また、イコライザ解析部１９1は、算出結果に基づき、イコライザ１６2におけるイコライザ特性の周波数特性データである解析データｈ2を出力する。
【００５０】
さらに、イコライザ解析部１９1は、ピーク成分が存在しないことを示すデータを受け取った場合には、各種パラメータの算出を行わずに、イコライザ特性がフラットになるようなイコライザ解析データｇ2を出力するとともに、フラットなイコライザ特性となる解析データｈ2を出力する。
【００５１】
イコライザ１６2は、イコライザ解析部１９1からのイコライザ解析データｇ2に基づきイコライザ特性を設定し、イコライザ１６1から出力された信号ｋに対してフィルタ演算等のイコライザ処理を施した信号ｍを出力する。
【００５２】
イコライザ解析ブロック１０2は、周波数差分演算部１７2、ピーク値検出部１８2及びイコライザ解析部１９2により、イコライザ解析ブロック１０1における処理と同様の処理を行い、解析データｈ2に基づきイコライザ１６3による処理に必要なイコライザ解析データｇ3を出力する。また、イコライザ解析ブロック１０2は、次段のイコライザ解析ブロック１０3での処理に必要な解析データを出力する。
【００５３】
以下、同様にして、次段のイコライザ解析ブロック１０3、・・・、１０n-1は、イコライザ解析データｇ4、・・・、ｇnを出力するとともに、解析データｈ4、・・・、ｈn-1を出力する。尚、最終段のイコライザ解析ブロック１０n-1については、解析データを出力しない。
【００５４】
また、イコライザ１６4、・・・、１６nは、イコライザ解析ブロック１０3、・・・、１０n-1からのイコライザ解析データｇ4、・・・、ｇnに基づき、イコライザ１６3、・・・、１６n-1から出力された信号に対してイコライザ処理を施し、最終段のイコライザ１６nから出力信号ｎを出力する。
【００５５】
次に、上記構成を有する回線等化装置１の動作について、図２〜図４を参照しながら説明する。ここでは、説明が煩雑となるのを防ぐため、図２に示すように、３段のイコライザ１６1〜１６3を用いた場合を例にとって説明する。
【００５６】
回線等化装置１に入力信号ａが入力されると、入力信号ａは、ＦＦＴ解析部１１及びイコライザ１６1に供給される。また、回線等化装置１には、使用する回線で伝送可能な周波数範囲を示す回線特性範囲データｐが供給され、ＦＦＴ解析部１１に入力される。
【００５７】
ＦＦＴ解析部１１は、回線特性範囲データｐが示す周波数範囲について、入力信号ａに対してＦＦＴ処理を施すことにより周波数特性データｂを生成し、ピーク値判断部１２、ピーク値検出部１４及び周波数差分演算部１７1に対して出力する。
【００５８】
このとき、入力信号ａに対するＦＦＴ処理を繰り返し行い、得られる周波数特性データｂを積算又は平均化すると好ましい。これは、入力信号ａに含まれる白色雑音等の雑音の影響を抑え、解析精度を向上させることができるためである。
【００５９】
ピーク値判断部１２は、入力された周波数特性データｂに基づきピーク成分の有無を判断する。例えば、周波数特性データｂの各周波数における減衰量等の変化量により、ピーク成分の有無を判断する。また、例えば、周波数特性データｂのピーク値に対して予め閾値を設定し、この閾値以上の成分が存在する場合に「ピーク成分あり」と判断し、閾値以上の成分が存在しない場合に「ピーク成分なし」と判断する。ピーク値判断部１２は、判断結果に応じたピーク値判断結果データｄを生成し、ピーク値検出部１４に対して出力する。また、ピーク値判断部１２は、ピーク成分が存在しないと判断した場合に、擬似ピーク値生成開始情報ｃを生成し、擬似ピーク値生成部１３に対して出力する。
【００６０】
擬似ピーク値生成部１３は、擬似ピーク値生成開始情報ｃが入力されると、回線特性範囲データｐが示す周波数範囲内の最大周波数を擬似的なピークとする生成データｅを生成し、ピーク値検出部１４に対して出力する。
【００６１】
ここで、擬似ピーク値生成部１３による生成データｅの生成方法について、図３を参照して詳細に説明する。尚、図３は、ピーク成分が存在しない周波数特性データｂから生成データｅを生成する方法について説明するためのグラフである。
【００６２】
ピーク値判断部１２において、ピーク成分が存在しないと判断される場合の入力信号ａは、一般に、図３（ａ）に示すように、周波数が高くなるに従ってゲイン量が単調に減衰する。即ち、入力信号ａに含まれる周波数成分のうち、最大周波数におけるゲイン量の絶対値が最も大きい値となる。
【００６３】
そこで、このような入力信号ａが入力された場合、擬似ピーク値生成部１３は、図３（ｂ）に示すように、入力信号ａの最大周波数でデータを折り返したデータを生成する。これにより、ＦＦＴ処理における周波数範囲内にピーク成分を有するようなデータが生成される。
【００６４】
このとき、図３（ｃ）に示すように、折り返すことで生成されたデータに内接する二次曲線を算出し、図３（ｄ）に示すような生成データｅとすると好ましい。これは、イコライザ１６1におけるイコライザ特性が極付近で鋭利な特性とならないようにするためであり、イコライザ特性に与える影響を軽減し、特性誤差を小さくすることができるからである。
【００６５】
尚、入力信号ａによっては、入力信号ａに含まれる周波数成分の最大周波数が、ＦＦＴ処理の対象となる周波数範囲における最大周波数未満の場合と、周波数範囲における最大周波数と同じ又はそれ以上の場合とが考えられる。入力信号ａに含まれる周波数成分の最大周波数が、ＦＦＴ処理における周波数範囲の最大周波数未満の場合は、入力信号ａの最大周波数でデータを折り返すことにより、周波数範囲内にピーク成分が生成される。
【００６６】
一方、入力信号ａに含まれる周波数成分の最大周波数が、ＦＦＴ処理における周波数範囲の最大周波数と同じ又はそれ以上の場合は、周波数範囲の最大周波数でデータを折り返してもピーク成分が出現しない。しかし、通常の伝送回線の場合、一般に、周波数が高くなるに従ってゲイン量が減衰する特性であるので、このような場合には、周波数範囲の最大周波数における成分をピーク成分とすることができる。
【００６７】
説明は図２に戻り、ピーク値検出部１４は、周波数特性データｂ、ピーク値判断結果データｄ及び生成データｅが入力され、ピーク値判断結果データｄが「ピーク成分あり」を示す場合には、周波数特性データｂからピーク成分を検出し、「ピーク成分なし」を示す場合には、生成データｅからピーク成分を検出する。そして、ピーク値検出部１４は、検出したピーク成分の周波数を示すデータと、周波数特性データｂ及び生成データｅのうち検出に使用した何れかのデータとからなるデータｆをイコライザ解析部１５に対して出力する。尚、周波数特性データｂに含まれるピーク成分が複数存在する場合、ピーク値検出部１４は、複数のピーク成分のゲイン量に基づき、ゲイン量の絶対値が最も大きいピーク成分を検出する。
【００６８】
また、ピーク値検出部１４は、ピーク値判断結果データｄが「ピーク成分なし」を示す場合に、制御信号ｑ1をピーク値検出部１８1に対して出力する。
【００６９】
尚、ピーク値検出部１４においてピーク成分を検出する際には、例えばゲイン量に対して予め閾値を設定し、この閾値を超えるゲイン量を有する成分のみをピーク成分として検出するようにしてもよい。
【００７０】
イコライザ解析部１５は、入力されたデータｆに基づき、ピーク成分の周波数におけるゲイン量及び帯域幅（選択度）を算出する。帯域幅（選択度）は、例えば、ピーク成分の周波数におけるゲイン量に対してゲイン量がｄＢ換算で１／２となる周波数の幅に基づき算出することができる。そして、イコライザ解析部１５は、このピーク成分の周波数、ゲイン量及び帯域幅（選択度）をパラメータとした、イコライザ１６1によるイコライザ特性を決定するためのイコライザ解析データｇ1を生成し、イコライザ１６1に対して出力する。
【００７１】
また、イコライザ解析部１５は、ピーク成分の周波数、ゲイン量及び帯域幅（選択度）をパラメータとして得られる、イコライザ１６1におけるイコライザ特性の周波数特性データである解析データｈ1を生成し、周波数差分演算部１７1に対して出力する。
【００７２】
イコライザ１６1は、入力されたイコライザ解析データｇ1に含まれるパラメータに基づき、検出されたピーク成分を除去するような逆特性のイコライザ特性を設定し、入力信号ａに対してイコライザ処理を施す。これにより、検出されたピーク成分を除去した信号ｋを生成し、イコライザ１６2に対して出力する。
【００７３】
周波数差分演算部１７1は、周波数特性データｂ及び解析データｈ1が入力され、イコライザ１６1におけるイコライザ特性の周波数特性である解析データｈ1と周波数特性データｂとの差分を算出して周波数特性差分データｉ1を生成し、ピーク値検出部１８1及び周波数差分演算部１７2に対して出力する。
【００７４】
ピーク値検出部１８1は、入力された周波数特性差分データｉ1のゲイン量に対する閾値が予め設定され、入力された周波数特性差分データｉ1内のピーク成分のゲイン量と閾値とを比較する。比較の結果、入力された周波数特性差分データｉ1内に閾値よりも大きいゲイン量を有するピーク成分が存在する場合は、このピーク成分の周波数を示すデータと、周波数特性差分データｉ1とを含むデータｊ1をイコライザ解析部１９1に対して出力する。一方、入力された周波数特性差分データｉ1内に閾値よりも大きいゲイン量を有するピーク成分が存在しない場合は、データｊ1の代わりにピーク成分が存在しないことを示すデータをイコライザ解析部１９1に対して出力する。
【００７５】
また、ピーク成分を検出しない場合、ピーク値検出部１８1は、制御信号ｑ2をピーク値検出部１８2に対して出力する。
【００７６】
尚、周波数特性差分データｉ1に含まれるピーク成分が複数存在する場合、ピーク値検出部１８1は、複数のピーク成分のゲイン量に基づき、ゲイン量の絶対値が最も大きいピーク成分を検出する。
【００７７】
また、ピーク値検出部１４から制御信号ｑ1を受け取った場合には、周波数特性差分データｉ1内にピーク成分が存在しないため、ピーク値検出部１８1は、ピーク成分の検出処理を行わず、データｊ1の代わりにピーク成分が存在しないことを示すデータをイコライザ解析部１９1に対して出力する。
【００７８】
ピーク値検出部１８1に設定される閾値は、この回線等化装置１における等化特性の精度や信号の遅延、位相特性等を考慮して、適宜設定することができる。例えば、等化特性が高い精度を必要とする場合には、閾値をより低く設定し、高い精度を必要としない場合には、閾値をより高く設定すると好ましい。
【００７９】
イコライザ解析部１９1は、入力されたデータｊ1に基づき、ピーク成分の周波数におけるゲイン量と、ピーク成分の周波数におけるゲイン量に対してゲイン量がｄＢ換算で例えば１／２となる帯域幅（選択度）とを算出する。そして、イコライザ解析部１９1は、このピーク成分の周波数、ゲイン量及び帯域幅（選択度）をパラメータとした、イコライザ１６2によるイコライザ特性を決定するためのイコライザ解析データｇ2を生成し、イコライザ１６2に対して出力する。
【００８０】
また、イコライザ解析部１９1は、ピーク成分の周波数、ゲイン量及び帯域幅（選択度）をパラメータとして得られる、イコライザ１６2におけるイコライザ特性の周波数特性データである解析データｈ2を生成し、周波数差分演算部１７2に対して出力する。
【００８１】
さらに、イコライザ解析部１９1は、ピーク成分が存在しないことを示すデータを受け取った場合には、各種パラメータの算出を行わずに、イコライザ特性がフラットになるようなイコライザ解析データｇ2を出力するとともに、フラットなイコライザ特性となる解析データｈ2を出力する。
【００８２】
イコライザ特性がフラットになるようなイコライザ解析データｇ2は、例えば、ゲイン量を「１（０ｄＢ）」とするデータである。イコライザ特性をフラットにするには、全ての周波数範囲におけるゲイン量を「１（０ｄＢ）」とすればよいので、周波数や帯域幅（選択度）等のパラメータが不要となる。
【００８３】
イコライザ１６2は、入力されたイコライザ解析データｇ2に含まれるパラメータに基づき、検出されたピーク成分を除去するような逆特性のイコライザ特性を設定し、信号ｋに対してイコライザ処理を施す。これにより、検出されたピーク成分を除去した信号ｍを生成し、イコライザ１６3に対して出力する。
【００８４】
また、イコライザ１６2は、ゲイン量が「１（０ｄＢ）」であるイコライザ解析データｇ2を受け取った場合には、全ての周波数範囲においてゲイン量が「１（０ｄＢ）」となるイコライザ特性を設定し、信号ｋを信号ｍとしてそのままイコライザ１６3に対して出力する。
【００８５】
周波数差分演算部１７2は、周波数特性差分データｉ1及び解析データｈ2が入力され、イコライザ１６2におけるイコライザ特性の周波数特性である解析データｈ2と周波数特性差分データｉ1との差分を算出して周波数特性差分データｉ2を生成し、ピーク値検出部１８2に対して出力する。
【００８６】
ピーク値検出部１８2は、入力された周波数特性差分データｉ2のゲイン量に対する閾値が予め設定され、入力された周波数特性差分データｉ2内のピーク成分のゲイン量と閾値とを比較する。比較の結果、入力された周波数特性差分データｉ2内に閾値よりも大きいゲイン量を有するピーク成分が存在する場合は、このピーク成分の周波数を示すデータと、周波数特性差分データｉ2とを含むデータｊ2をイコライザ解析部１９2に対して出力する。一方、入力された周波数特性差分データｉ2内に閾値よりも大きいゲイン量を有するピーク成分が存在しない場合は、データｊ2の代わりにピーク成分が存在しないことを示すデータをイコライザ解析部１９2に対して出力する。
【００８７】
尚、周波数特性差分データｉ2に含まれるピーク成分が複数存在する場合、ピーク値検出部１８2は、複数のピーク成分のゲイン量に基づき、ゲイン量の絶対値が最も大きいピーク成分を検出する。
【００８８】
また、ピーク値検出部１８1から制御信号ｑ2を受け取った場合には、周波数特性差分データｉ2内にピーク成分が存在しないため、ピーク値検出部１８2は、ピーク成分の検出処理を行わず、データｊ2の代わりにピーク成分が存在しないことを示すデータをイコライザ解析部１９2に対して出力する。
【００８９】
ピーク値検出部１８2に設定される閾値は、ピーク値検出部１８1に設定される閾値と同様に、回線等化装置１における等化特性の精度や信号の遅延、位相特性等を考慮して、適宜設定することができる。
【００９０】
イコライザ解析部１９2は、入力されたデータｊ2に基づき、ピーク成分の周波数におけるゲイン量と、ピーク成分の周波数におけるゲイン量に対してゲイン量がｄＢ換算で例えば１／２となる帯域幅（選択度）とを算出する。そして、イコライザ解析部１９2は、このピーク成分の周波数、ゲイン量及び帯域幅（選択度）をパラメータとした、イコライザ１６3によるイコライザ特性を決定するためのイコライザ解析データｇ3を生成し、イコライザ１６3に対して出力する。
【００９１】
また、イコライザ解析部１９2は、ピーク成分が存在しないことを示すデータを受け取った場合には、各種パラメータの算出を行わずに、例えばゲイン量を「１（０ｄＢ）」とした、イコライザ特性がフラットになるようなイコライザ解析データｇ3を出力する。
【００９２】
イコライザ１６3は、入力されたイコライザ解析データｇ3に含まれるパラメータに基づき、検出されたピーク成分を除去するような逆特性のイコライザ特性を設定し、信号ｍに対してイコライザ処理を施す。これにより、検出されたピーク成分を除去した出力信号ｎを生成し、外部に出力する。
【００９３】
また、イコライザ１６3は、ゲイン量が「１（０ｄＢ）」であるイコライザ解析データｇ3を受け取った場合には、全ての周波数範囲においてゲイン量が「１（０ｄＢ）」となるイコライザ特性を設定し、信号ｍを出力信号ｎとしてそのまま外部に出力する。
【００９４】
次に、上述した回線等化装置１の動作について、図４及び図５を用いてより具体的に説明する。尚、図４は、回線等化装置１による等化処理について説明するための図であり、図５は、ピーク成分から帯域幅を算出する方法について説明するための図である。
【００９５】
例えば、２つのピーク成分Ａ及びＢを有する入力信号ａが入力された場合について考える。図４（ａ）に示すデータは、入力信号ａに対してＦＦＴ処理が施された際に得られる周波数特性データｂを示す。この例では、入力信号ａが周波数ｆＡ及びｆＢにおいて、ゲイン量の絶対値がＧＡ及びＧＢとなるピーク成分Ａ及びＢを有しているものとする。
【００９６】
先ず、回線等化装置１に入力信号ａが入力されると、ＦＦＴ解析部１１によるＦＦＴ処理により、図４（ａ）に示すような複数のピーク成分Ａ及びＢを有する周波数特性データｂが得られる。この例では、複数のピーク成分Ａ及びＢが存在するので、ピーク値検出部１４において、これらのピーク成分Ａ及びＢのゲイン量ＧＡ及びＧＢの絶対値が比較され、ゲイン量が高いピーク成分Ｂが検出されることになり、検出されたピーク成分Ｂの周波数ｆＢが導出される。
【００９７】
次に、イコライザ解析部１５において、検出されたピーク成分Ｂの周波数ｆＢ及びゲイン量ＧＢに基づき帯域幅（選択度）が算出される。例えば、図５に示すように、周波数ｆＢにおけるゲイン量ＧＢに対して、ゲイン量が１／２となる周波数範囲が帯域幅（選択度）として算出される。そして、このようにして得られたピーク成分Ｂの周波数、ゲイン量及び帯域幅（選択度）をパラメータとしてイコライザ特性の周波数特性である解析データｈ1が生成される。
【００９８】
次に、周波数差分演算部１７1において、上述のようにして生成された解析データｈ1と周波数特性データｂとの差分が演算されることにより、図４（ｂ）に示すように、周波数特性データｂからピーク成分Ｂが除去される。
【００９９】
尚、図４（ｂ）に示すグラフにおいて、点線で示されるデータがピーク成分Ｂを除去する前の周波数特性データｂであり、実線で示されるデータが、ピーク成分Ｂが除去された周波数特性差分データｉ1である。この周波数特性差分データｉ1は、イコライザ１６1において入力信号ａに対してイコライザ処理が施された信号ｋをＦＦＴ処理により周波数特性データに変換したものと同等のデータとなる。
【０１００】
次に、上述と同様にして、ピーク値検出部１８1において、周波数特性差分データｉ1に対するピーク成分の検出処理が行われ、ピーク成分Ａのゲイン量と閾値とが比較される。この例では、ピーク成分Ａのゲイン量が閾値よりも大きいので、ピーク成分Ａがピーク成分として検出され、検出されたピーク成分Ａの周波数ｆＡが導出される。
【０１０１】
次に、イコライザ解析部１９1において、検出されたピーク成分Ａの周波数ｆＡ及びゲイン量ＧＡに基づき帯域幅（選択度）が算出され、ピーク成分Ａの周波数、ゲイン量及び帯域幅（選択度）をパラメータとして解析データｈ2が生成される。
【０１０２】
そして、周波数差分演算部１７2において、解析データｈ2と周波数特性差分データｉ1との差分が演算されることにより、図４（ｃ）に示すように、周波数特性差分データｉ1からピーク成分Ａが除去される。
【０１０３】
尚、図４（ｃ）に示すグラフにおいて、実線で示されるデータが、ピーク成分Ａが除去された周波数特性差分データｉ2であり、イコライザ１６2において信号ｋに対してイコライザ処理が施された信号ｍをＦＦＴ処理により周波数特性データに変換したものと同等のデータとなる。
【０１０４】
次に、ピーク値検出部１８2において、周波数特性差分データｉ2についてピーク検出が行われる。この例では、閾値よりも大きいゲイン量のピーク成分が存在しないため、ピーク成分が検出されない。従って、イコライザ解析部１９2において、ゲイン量を「１（０ｄＢ）」とした、イコライザ特性がフラットになるようなイコライザ解析データｇ3が出力され、イコライザ１６3においては、全ての周波数範囲においてゲイン量が「１（０ｄＢ）」となるイコライザ特性が設定され、信号ｍが出力信号ｎとしてそのまま出力される。
【０１０５】
また、例えば、図３（ｄ）に示すように、周波数ｆＸにピーク成分を有する生成データｅのピーク成分を除去する場合について考える。この場合には、イコライザ解析部１５において、生成データｅから得られるピーク成分のパラメータに基づき解析データｈ1が生成されるが、イコライザ特性の周波数特性データである解析データｈ1の特性は、パラメータに基づいて生成されるため、生成データｅのピーク成分と完全に一致するとは限らない。そのため、周波数差分演算部１７1において生成データｅと解析データｈ1との差分を算出した場合には、周波数ｆＹにおいて生成データｅと解析データｈ1との誤差をピーク成分とする周波数特性差分データｉ1が生成される。
【０１０６】
従って、次のイコライザ解析ブロック１０2では、この周波数ｆＹにおけるピーク成分についてピーク検出処理を行い、このピーク成分が閾値を超えていれば、ピーク成分を除去する処理を行う。同様にして、次のイコライザ解析ブロック１０3において、周波数特性差分データｉ1と解析データｈ2との差分の誤差により出現する周波数ｆＺにおけるピーク成分についても、ピーク成分を除去する処理を行う。そして、この処理を繰り返し行うことにより、周波数特性がフラットとなる信号を出力することができる。
【０１０７】
このようにして、各イコライザ解析ブロック１０1、１０2、・・・、１０n-1において、周波数特性データｂ又は前段から入力される周波数特性差分データｉ1、ｉ2、・・・、ｉn-1とイコライザ特性の周波数特性データとの差分を順次求めることにより、入力信号ａに含まれるピーク成分を除去することができる。
【０１０８】
尚、回線等化装置１に設けられるイコライザ解析ブロック１０1、１０2、・・・、１０n-1及びイコライザ１６1、・・・、１６nの数は、この回線等化装置１における等化特性の精度や信号の遅延、位相特性等に影響する。例えば、イコライザ解析ブロック１０1、１０2、・・・、１０n-1及びイコライザ１６1、・・・、１６nの数を多くするほど、不要なピーク成分を多く除去できるため、等化特性の精度を向上させることができるが、信号の遅延が発生する。一方、例えば、イコライザ解析ブロック１０1、１０2、・・・、１０n-1及びイコライザ１６1、・・・、１６nの数を少なくするほど、信号遅延等の影響が少なくなるが、除去できるピーク成分の数が少なくなるため、等化特性の精度が低下する。従って、イコライザ解析ブロック１０1、１０2、・・・、１０n-1及びイコライザ１６1、・・・、１６nの数は、必要となる等化特性の精度や信号遅延等を考慮して決定すると好ましい。
【０１０９】
以上のように、本実施の形態によれば、入力信号の周波数特性からピーク成分を検出し、このピーク成分を除去するようなイコライザ特性を用いてピーク成分を除去するとともに、入力信号の周波数特性とイコライザ特性との差分を算出して得られる周波数特性から次のピーク成分を順次検出し、同様にしてピーク成分を除去する。従って、入力信号の周波数範囲を分割することなく、全ての周波数範囲について等化処理を行うことができるため、分割された周波数範囲毎に等化回路を構成する必要がなく、回路構成を簡略化させることができる。
【０１１０】
また、本実施の形態によれば、入力信号の周波数特性が単調な減衰特性である場合等、ピーク成分が存在しない場合に、擬似的にピーク成分を生成し、生成されたピーク成分を除去するため、ピーク成分が存在しない入力信号に対しても、等化処理を行うことができる。
【０１１１】
さらに、本実施の形態によれば、等化処理の際にＩＤＦＴ等の演算を行わないため、等化処理に要する時間を高速化することができる。
【０１１２】
次に、本発明に係る他の実施形態について説明する。
【０１１３】
回線等化装置に対する入力信号は、例えば、低域成分や高域成分等の周波数成分を予め増幅又は減衰させる等、所定の特性が予め設定された状態で入力される場合がある。このような入力信号は、予め所定の周波数成分にピーク成分を有する場合があると考えられる。そのため、この入力信号に対して上述した等化処理を行うと、予め設定された特性をピーク成分として誤って検出してしまい、所定の特性を持たせた状態で信号を伝送することができなくなってしまうおそれがある。
【０１１４】
そこで、本実施の形態では、入力信号に対して予め設定された特性を考慮した等化処理を行うことにより、予め設定された特性によるピーク成分の誤検出を防ぐ。
【０１１５】
本実施の形態に係る回線等化装置の構成について、図６を参照しながら説明する。尚、図１に示す実施の形態による回線等化装置１と同様の部分については、同一の符号を付し、説明を省略する。
【０１１６】
ＦＦＴ解析部２０は、入力信号ａ及び回線特性範囲データｐに加え、入力信号ａの周波数特性を補正するための周波数補正データｒが入力され、回線特性範囲データｐが示す周波数範囲について、入力信号ａに対してＦＦＴ処理を施す。このとき、ＦＦＴ解析部２０は、周波数補正データｒに基づき、入力信号ａに対して予め設定された周波数特性を考慮してＦＦＴ処理を行い、周波数特性を解析する。そして、ＦＦＴ解析部２０は、解析により得られた周波数特性データｂを出力する。
【０１１７】
次に、本実施の形態に係る回線等化装置の動作について説明する。
【０１１８】
ＦＦＴ解析部２０には、所定の周波数特性が予め設定された入力信号ａと、使用する回線で伝送可能な周波数範囲を示す回線特性範囲データｐと、入力信号ａの周波数特性を補正するための周波数補正データｒとが入力される。
【０１１９】
周波数補正データｒは、入力信号ａに対して予め設定された特性を打ち消すように周波数特性を補正するためのデータである。例えば、入力信号ａの低域成分が予め増幅されている場合、周波数補正データｒは、低域成分を減衰させるように補正するデータとなる。また、例えば、入力信号ａの高域成分が予め減衰されている場合、周波数補正データｒは、高域成分を増幅させるように補正するデータとなる。
【０１２０】
ＦＦＴ解析部２０は、回線特性範囲データｐが示す周波数範囲について、入力信号ａに対してＦＦＴ処理を施した後、周波数補正データｒを用いて補正した周波数特性データｂを生成する。こうすることにより、以降の処理においては、入力信号ａに対して予め設定された特性を考慮する必要がなくなるため、設定された特性によるピーク成分を誤って検出することなく、通常と同様の処理を行うことができる。
【０１２１】
このように、本発明に係る他の実施形態によれば、入力信号に対して予め設定された特性を補正するための周波数補正データを用いてＦＦＴ処理を行うようにしているため、ピーク成分の誤検出を防ぐことができる。
【０１２２】
以上、本発明の一実施の形態及び他の実施形態について説明したが、本発明は、上述した本発明の一実施の形態及び他の実施形態に限定されるものではなく、本発明の要旨を逸脱しない範囲内で様々な変形や応用が可能である。
【符号の説明】
【０１２３】
１  回線等化装置
１０（１０1、１０2、・・・、１０n-1）  イコライザ解析ブロック
１１、２０  ＦＦＴ解析部
１２  ピーク値判断部
１３  擬似ピーク値生成部
１４  ピーク値検出部
１５  イコライザ解析部
１６（１６1、１６2、・・・、１６n）  イコライザ
１７（１７1、１７2、・・・、１７n-1）  周波数差分演算部
１８（１８1、１８2、・・・、１８n-1）  ピーク値検出部
１９（１９1、１９2、・・・、１９n-1）  イコライザ解析部
【図１】
0005637558.tif 000002
【図２】
0005637558.tif 000003
【図３】
0005637558.tif 000004
【図４】
0005637558.tif 000005
【図５】
0005637558.tif 000006
【図６】
0005637558.tif 000007
【図７】
0005637558.tif 000008
【図８】
0005637558.tif 000009